Podtech/llm-jp-corpus-v4-ja_patent huggingface dataset:
【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
約２５０〜約４５０ｍｇの固体モダフィニルから本質的になる薬剤単位投薬物。
【請求項２】
約２５０〜約３５０ｍｇの固体モダフィニルから本質的になる薬剤単位投薬物。
【請求項３】
約２７５〜約３２５ｍｇの固体モダフィニルから本質的になる、請求項１記載の単位投薬物。
【請求項４】
約３２５〜約４５０ｍｇの固体モダフィニルから本質的になる、請求項１記載の単位投薬物。
【請求項５】
２７５〜３２５ｍｇの固体モダフィニルから本質的になる、請求項１の単位投薬物。
【請求項６】
３２５〜４５０ｍｇの固体モダフィニルから本質的になる、請求項１記載の単位投薬物。
【請求項７】
２５５ｍｇの固体モダフィニルから本質的になる、請求項１記載の単位投薬物。
【請求項８】
３００ｍｇの固体モダフィニルから本質的になる、請求項１記載の単位投薬物。
【請求項９】
３４０ｍｇの固体モダフィニルから本質的になる、請求項１記載の単位投薬物。
【請求項１０】
４２５ｍｇの固体モダフィニルから本質的になる、請求項１記載の単位投薬物。
【請求項１１】
ヒト患者のＡＤＨＤを処置するためのものであって、ヒト患者に２４時間以内に投与するための請求項1記載の単位投薬。
【請求項１２】
薬剤単位投薬物が約２５０〜約３５０ｍｇの固体モダフィニルから本質的になる、請求項１１記載の単位投薬。
【請求項１３】
患者が小児科患者である、請求項１１記載の単位投薬。
【請求項１４】
約４２５ｍｇの固体モダフィニルを患者に投与するための、請求項１１記載の単位投薬。
【請求項１５】
約３４０ｍｇの固体モダフィニルを患者に投与するための、請求項１１記載の単位投薬。
【請求項１６】
約３００ｍｇの固体モダフィニルを患者に投与するための、請求項１１記載の単位投薬。
【請求項１７】
約２５５ｍｇの固体モダフィニルを患者に投与するための、請求項１１記載の単位投薬。
【請求項１８】
ヒトへの経口投与の後、本質的に図３に示されるようなモダフィニルの血中プロファイルがもたらされる、請求項１記載の単位投薬物。
【請求項１９】
単位投薬物が本質的に図３に示されるようなモダフィニルの血中プロファイルを誘発するための、請求項１１記載の単位投薬。
【請求項２０】
単位投薬物中の固体モダフィニルの量が、２５０、２５５、２６０、２６５、２７０、２７５、２８０、２８５、２９０、２９５、３００、３０５、３１０、３１５、３２０、３２５、３３０、３３５、３４０、３４５および３５０ｍｇのモダフィニルから本質的になる群から選択される、請求項１記載の単位投薬物。
【請求項２１】
単位投薬物中の固体モダフィニルの量が、３５５、３６０、３６５、３７０、３７５、３８０、３８５、３９０、３９５、４００、４０５、４１０、４１５、４２０、４２５、４３０、４３５、４４０、４４５、および４５０ｍｇのモダフィニルから本質的になる群から選択される、請求項１記載の単位投薬物。
【請求項２２】
薬剤単位投薬物中の固体モダフィニルの量が、２５５、３００、３４０、および４２５ｍｇのモダフィニルからなる群から選択される。請求項１記載の単位投薬物。
【請求項２３】
全錠剤重量の約７０〜７５％が固体モダフィニルである、請求項１記載の単位投薬物。
【請求項２４】
全錠剤重量の約８０％が固体モダフィニルである、請求項１記載の単位投薬物。
【請求項２５】
４５０ｍｇの固体モダフィニルから本質的になる、請求項１記載の単位投薬物。
【請求項２６】
ケイ酸マグネシウムまたはタルクを含まない、請求項１記載の単位投薬物。
【請求項２７】
デンプン、ラクトース一水和物または微晶質セルロースからそれぞれ独立して選択される１種またはそれ以上の希釈剤、アルファ化デンプンまたは架橋カルボキシメチルセルロースナトリウムからそれぞれ独立して選択される１種またはそれ以上の崩壊剤、結合剤、
および滑沢剤を含んでなる、請求項２６記載の単位投薬物。
【請求項２８】
結合剤がポリビニルピロリドンであり、そして滑沢剤がステアリン酸マグネシウムである、請求項２７記載の単位投薬物。
【請求項２９】
組成物が錠剤である、請求項２６記載の単位投薬物。
【請求項３０】
錠剤重量の約９０％が固体モダフィニルである、請求項２６記載の単位投薬物。
【請求項３１】
錠剤重量の約８０％が固体モダフィニルである、請求項２６記載の単位投薬物。
【請求項３２】
固体モダフィニルがＲ−（−）２−〔（ジフェニルメチル）スルフィニル〕アセトアミドである、請求項１記載の単位投薬物。
【請求項３３】
固体モダフィニルがＲ−（−）２−〔（ジフェニルメチル）スルフィニル〕アセトアミドである、請求項２５記載の組成物。
【請求項３４】
錠剤またはカプセルの剤型である、請求項１〜１０、１８または２１〜３３のいずれか１項記載の薬剤単位投薬物。
【請求項３５】
該単回薬剤単位投薬物が錠剤またはカプセルの剤型である、請求項１１〜１７または１９のいずれか１項記載の単位投薬。
【手続補正書】
【提出日】平成18年7月24日(2006.7.24)
【手続補正１】
【補正対象書類名】特許請求の範囲
【補正対象項目名】全文
【補正方法】変更
【補正の内容】
【特許請求の範囲】
【請求項１】
データ処理装置において、
結果データ値を発生するようにデータ処理命令を実行可能なプロセッサコア（４）と、前記結果データが書き込まれる前記プロセッサコアの状態を定義するデータ値を保持するデータ処理レジスタ（１２）とを備え、
前記プロセッサコアにより実行される少なくとも１つのデータ処理命令が条件付きコード（２６）を符号化する条件付き書き込みデータ処理命令であり、前記条件付きコードは、前記プロセッサコアの状態の変化をもたらすように、前記条件付き書き込みデータ処理命令がデータを書き込むのを許可するか否かの条件を特定し、
さらに、前記条件付き書き込みデータ処理命令の中の前記条件コードが、前記プロセッサコアの状態の変化をもたらすための書き込みを許さないとき、前記条件付き書き込みデータ処理命令の実行時にデータ処理レジスタの代わりに結果データ値を書き込むことができるトラッシュレジスタ（５１）を含む、
データ処理装置。
【請求項２】
請求項１記載の装置において、結果データが書き込まれる複数のデータレジスタを有するレジスタバンク（１２）を含む、データ処理装置。
【請求項３】
請求項１と２記載のいずれかの装置において、前記トラッシュレジスタ（５１）への書き込みは、トラッシュレジスタ制御信号によってプログラム上ディスエーブルにする、データ処理装置。
【請求項４】
請求項３記載の装置において、前記トラッシュレジスタ制御信号はシステム・コンフィギュレーション・レジスタに記憶される、データ処理装置。
【請求項５】
請求項２記載の装置において、前記トラッシュレジスタ（５１）は前記レジスタバンクの一部であって、前記トラッシュレジスタを特定するオペランド値によって特定されないように、前記トラッシュレジスタはレジスタ番号にマップされていない、データ処理装置。
【請求項６】
データ処理命令のプロセッサコア（４）による実行時に結果データ値を発生するステップを備え、実行される少なくとも１つのデータ処理命令が条件付きコード（２６）を符号化する条件付き書き込みデータ処理命令であり、前記条件付きコードは、プロセッサコアの状態の変化をもたらすように、前記条件付き書き込みデータ処理命令がデータを書き込むのを許可するか否かの条件を特定し、
前記条件付き書き込みデータ処理命令の中の前記条件コードが、プロセッサコアの状態の変化をもたらすための書き込みを許さないとき、前記プロセッサコアの状態を定義するデータ値を保持するデータ処理レジスタに結果データ値を書き込まず、代わりにトラッシュレジスタ（５１）に書き込む、データ処理方法。
【請求項７】
請求項６記載の方法において、前記データ処理レジスタは結果データが書き込まれる複数のデータレジスタを有するレジスタバンクの一部である、データ処理方法。
【請求項８】
請求項６と７記載のいずれかの方法において、前記トラッシュレジスタ（５１）への書き込みはトラッシュレジスタ制御信号によってプログラム上ディスエーブルにする、データ処理方法。
【請求項９】
請求項８記載の方法において、前記トラッシュレジスタ制御信号はシステム・コンフィギュレーション・レジスタに記憶されるデータ処理方法。
【請求項１０】
請求項７記載の方法において、前記ダミーレジスタは前記レジスタバンクの一部であって、前記トラッシュレジスタがレジスタを特定するオペランド値によって特定されないように、前記トラッシュレジスタはレジスタ番号にマップされていない、データ処理方法。
【手続補正２】
【補正対象書類名】明細書
【補正対象項目名】０００３
【補正方法】変更
【補正の内容】
【０００３】
このようなシステムのセキュリティを攻撃する方法として、タイミング分析とパワー分析とを含む方法が知られている。入力に反応するこの種のシステムのタイミング動作と電力消費の様子を観察することによって、実行中の処理に関する情報と処理中のデータを、セキュリティと妥協することができるように決定することができる。セキュリティ攻撃に対して抵抗力を持つことは非常に有利なことである。
EP-A-1,1,158,384が開示しているプロセッサパイプラインでは、ランダムに選ばれたコードシーケンスがレジスタに書き込み中のこれらのシーケンスに対する結果と共に命令パイプラインに挿入される。これらはプロセッサの状態を変えない。
【手続補正３】
【補正対象書類名】明細書
【補正対象項目名】０００４
【補正方法】変更
【補正の内容】
【０００４】
本発明の一態様として提供されるデータ処理装置は、
結果データ値を発生するデータ処理命令を実行するプロセッサコア（４）と、
結果データが書き込まれるプロセッサコアの状態を定義するデータ値を保持するデータ処理レジスタ（１２）とを含み、
プロセッサコアにより実行される少なくとも１個のデータ処理命令が条件付きコード（２６）を符号化する条件付き書き込みデータ処理命令であり、条件付きコードは、プロセッサコアの状態の変化をもたらすために、条件付き書き込みデータ処理命令がデータを書き込むのを許可するか否かという条件を特定し、
さらに、条件付き書き込みデータ処理命令の中の条件コードが、プロセッサコアの状態の変化をもたらすための書き込みを許さないとき、条件付き書き込みデータ処理命令の実行時にデータ処理レジスタの替わりに結果データ値を書き込むことができるトラッシュレジスタ（５１）を含む、データ処理装置である。
【手続補正４】
【補正対象書類名】明細書
【補正対象項目名】０００８
【補正方法】削除
【補正の内容】
【手続補正５】
【補正対象書類名】明細書
【補正対象項目名】００１３
【補正方法】変更
【補正の内容】
【００１３】
本発明の別の態様として提供されるデータ処理方法は、
データ処理命令のプロセッサコア（４）による実行時に結果データ値を発生するステップを含み、該ステップは実行される少なくとも１個のデータ処理命令が条件付きコード（２６）を符号化する条件付き書き込みデータ処理命令であり、条件付きコードは、プロセッサコアの状態の変化をもたらすために、条件付き書き込みデータ処理命令がデータを書き込むのを許可するか否かという条件を特定し、
さらに、条件付き書き込みデータ処理命令の中の条件コードが、プロセッサコアの状態の変化をもたらすための書き込みを許さないとき、プロセッサコアの状態を定義するデータ値を保持するデータ処理レジスタに結果データ値が書き込まれず、替わりにトラッシュレジスタ（５１）に結果データ値が書き込まれる、データ処理方法である。
【手続補正書】
【提出日】平成18年6月29日(2006.6.29)
【手続補正１】
【補正対象書類名】明細書
【補正対象項目名】特許請求の範囲
【補正方法】変更
【補正の内容】
【特許請求の範囲】
【請求項１】  インクジェット捺染法により織物繊維材料を捺染する方法であって、
ａ）式：
【化１】
2003518560.tif 000001
（式中、
Ｒ52は、水素、ハロゲン、Ｃ1〜Ｃ4アルキル、Ｃ1〜Ｃ4アルコキシ、ニトロまたはシアノであり、
Ｒ53は、水素、ハロゲン、ニトロまたはシアノであり、
Ｒ54は、水素、ハロゲンまたはフェニルアミノカルボニルであり、
Ｒ55は、水素またはヒドロキシであり、そして
Ｒ56は、水素または式：
【化２】
2003518560.tif 000002
（式中、
Ｒ57は、水素、Ｃ1〜Ｃ4アルキルまたはＣ1〜Ｃ4アルコキシであり、
Ｒ58は、水素、Ｃ1〜Ｃ4アルコキシまたはハロゲンであり、そして
Ｒ59は、水素、Ｃ1〜Ｃ4アルキル、Ｃ1〜Ｃ4アルコキシまたはハロゲンである）；
【化３】
2003518560.tif 000003
（式中、
Ｒ60およびＲ61は、互いに独立に、Ｃ1〜Ｃ4アルキルであり、そして
Ｒ62およびＲ63は、ハロゲンである）；
【化４】
2003518560.tif 000004
（式中、
環Ａ、Ｂ、ＤおよびＥは、非置換か、または１個もしくは２個以上のハロゲンで置換されている）；
【化５】
2003518560.tif 000005
（式中、
Ｒ64は、Ｃ1〜Ｃ4アルキルであり、
Ｒ65は、水素、ハロゲン、Ｃ1〜Ｃ4アルキル、Ｃ1〜Ｃ4アルコキシ、ニトロまたはシアノであり、
Ｒ66は、水素、ハロゲン、ニトロまたはシアノであり、
Ｒ67は、水素、ハロゲン、Ｃ1〜Ｃ4アルキル、Ｃ1〜Ｃ4アルコキシ、ニトロまたはシアノである）；
【化６】
2003518560.tif 000006
（式中、
環Ａ′およびＢ′は、非置換か、または１個もしくは２個以上のハロゲンで置換されている）；
【化７】
2003518560.tif 000007
（式中、
（Ｒ68）0-2および（Ｒ68′）0-2は、互いに独立に、ハロゲン、Ｃ1〜Ｃ4アルキル、Ｃ1〜Ｃ4アルコキシ、ニトロまたはシアノから選ばれる、０〜２個の置換基であり、
Ｋ1およびＫ2は、互いに独立に、式：
【化８】
2003518560.tif 000008
（式中、
（Ｒ69）0-3および（Ｒ69′）0-3は、互いに独立に、ハロゲン、Ｃ1〜Ｃ4アルキル、Ｃ1〜Ｃ4アルコキシ、ニトロまたはシアノからなる群より選ばれる、０〜３個の置換基である）残基を意味する）
の顔料色素；
あるいはカーボンブラックまたは酸化鉄をベースとする無機顔料色素；
ｂ）アクリル酸およびウレタンの少なくとも１種の成分の重合生成物をベースとする、水分散性または水溶性の顔料色素バインダー；ならびに
ｃ）グリセリン、プロピレングリコールまたはジエチレングリコール
を含有する水性インクを用いてこれら繊維材料を捺染することを特徴とする方法。
【請求項２】  染料の総含有量を、インク全重量に対して１〜３５重量％で含有するインクを使用する、請求項１記載の方法。
【請求項３】  グリセリン、１，２−プロピレングリコールまたはジエチレングリコールを、インク全重量に対して２〜３０重量％の量で含有するインクを使用することを特徴とする、請求項１または２記載の方法。
【請求項４】  顔料色素バインダーを、インク全重量に対して２〜３０重量％の量で含有するインクを使用する、請求項１〜３のいずれか１項記載の方法。
【請求項５】  ピエゾ式インクジェットヘッドを用いて、繊維材料を捺染する、請求項１〜４のいずれか１項記載の方法。
【請求項６】  繊維材料としてセルロース性繊維材料を用いる、請求項１〜５のいずれか１項記載の方法。
【請求項７】  繊維材料を捺染した後に、１２０〜１９０℃で固着させる、請求項１〜６いずれか記載の方法。
【請求項８】  繊維材料を捺染した後に、イオン化作用を有する照射線またはＵＶ光を用いる照射によって固着させる、請求項１〜７のいずれか１項記載の方法。
【請求項９】  捺染した後に捺染布の乾燥および固着を行い、その際、乾燥および固着を連続的に実施する、請求項１〜８のいずれか１項記載の方法。
【請求項１０】  捺染、捺染布の乾燥および固着を連続的に実施する、請求項９記載の方法。
【手続補正書】
【提出日】平成17年7月11日(2005.7.11)
【手続補正１】
【補正対象書類名】明細書
【補正対象項目名】特許請求の範囲
【補正方法】変更
【補正の内容】
【特許請求の範囲】
【請求項１】  呼吸マスクに呼吸管を接続するためのコネクタアセンブリにおいて、
凹状受容構造を有する呼吸マスクであって、該凹状受容構造が、壁部と、床部と、コネクタに係合する突出部材とを有し、該突出部材が該床部の少なくとも一部に沿って延設される呼吸マスクと、
前記凹状受容構造に嵌合するコネクタであって、第１空気導管と、該第１空気導管に隣接形成される中間導管と、該中間導管から延設される片持式スナップラッチとを備え、該片持式スナップラッチが、ラッチ基部と、該ラッチ基部に蝶番式に接続されて該ラッチ基部から該第１空気導管に向けて延設されるラッチ本体と、前記突出部材に係合する係止部材とを有してなるコネクタと、
を具備することを特徴とするコネクタアセンブリ。
【請求項２】  前記中間導管は、該中間導管に取り付けられる呼吸管を備える、請求項１に記載のコネクタアセンブリ。
【請求項３】  前記第１空気導管と前記中間導管と前記呼吸管とが、非線形軸線を形成する、請求項２に記載のコネクタアセンブリ。
【手続補正書】
【提出日】平成17年6月22日(2005.6.22)
【手続補正１】
【補正対象書類名】明細書
【補正対象項目名】特許請求の範囲
【補正方法】変更
【補正の内容】
【特許請求の範囲】
【請求項１】身体から前もって取り出しておいた細胞をスクリーニング
することにより達成されるがんのスクリーニング方法であって、
収集された細胞を細胞培地に入れるステップと、
前記収集された細胞に化合物を導入するステップと、
前記収集された細胞と前記化合物が十分に相互作用するように前記収集された細胞をインキュベートし、細胞の少なくとも一部を生かし続けるステップと、
前悪性細胞および悪性細胞が蛍光を発するように、前記収集された細胞を選択された範囲の周波数の光で刺激するステップと、
がんが存在することを示す蛍光が前記収集された細胞において生じたかどうか確かめるために、前記収集された細胞を観察するステップから成る方法。
【請求項２】  長期細胞観察を行って、前悪性細胞および悪性細胞と正常細胞とをさらに区別するステップをさらに含む、請求項１に記載の方法。
【請求項３】  悪性腫瘍を診断するための資料として蛍光を発する収集された細胞の写真を撮るステップをさらに含む、請求項１に記載の方法。
【請求項４】  フローサイトメトリーを行って、収集された細胞を選択的に計数するステップをさらに含む、請求項１に記載の方法。
【請求項５】  蛍光活性化細胞選別を行って、収集された細胞を選択的に選別するステップをさらに含む、請求項１に記載の方法。
【請求項６】  前記収集された細胞が肺細胞である、請求項１に記載の方法。
【請求項７】  前記収集された細胞が前立腺細胞である、請求項１に記載の方法。
【請求項８】  前記収集された細胞が子宮／子宮頚細胞である、請求項１に記載の方法。
【請求項９】  前記収集された細胞が乳房細胞である、請求項１に記載の方法。
【請求項１０】  前記収集された細胞が口腔細胞である、請求項１に記載の方法。
【請求項１１】  前記収集された細胞が尿路細胞である、請求項１に記載の方法。
【請求項１２】  前記収集された細胞が胃腸管細胞である、請求項１に記載の方法。
【請求項１３】  前記収集された細胞が中枢神経系細胞である、請求項１に記載の方法。
【請求項１４】  前記収集された細胞が腹腔細胞である、請求項１に記載の方法。
【請求項１５】  前記収集された細胞が胸腔細胞である、請求項１に記載の方法。
【請求項１６】  前記収集された細胞が副鼻腔および鼻部位の細胞である、請求項１
に記載の方法。
【請求項１７】  前記収集された細胞が耳道細胞である、請求項１に記載の方法。
【請求項１８】  長期細胞観察を行って、前悪性細胞および悪性細胞と正常
細胞とをさらに区別するステップをさらに含む、請求項１に記載の方法。
【請求項１９】  悪性腫瘍を診断するための資料として蛍光を発する収集さ
れた細胞の写真を撮るステップをさらに含む、請求項１に記載の方法。
【請求項２０】  フローサイトメトリーを行って、収集された細胞を選択的
に計数するステップをさらに含む、請求項１に記載の方法。
【請求項２１】  蛍光活性化細胞選別を行って、収集された細胞を選択的に
選別するステップをさらに含む、請求項１に記載の方法。
【請求項２２】  がんのスクリーニング方法であって、
標的細胞群と相互作用する蛍光マーカーとして使用するためのものである化合物を投与した患者から収集した標的細胞を準備するステップと、
前記収集された細胞を細胞培地に入れるステップと、
前記収集された細胞が前記化合物とさらに相互作用するように、前記収集された細胞をインキュベートするステップと、
前記インキュベートするステップの間、十分な相互作用を確かなものにするために、前記収集された細胞の少なくとも一部を生かし続けるステップと、
前悪性細胞および悪性細胞が蛍光を発するように、前記収集された細胞を選択された範囲の周波数の光で刺激するステップと、
がんが存在することを示す蛍光が前記収集された細胞において生じたかどうか確かめるために、前記収集された細胞を蛍光顕微鏡で観察するステップから成る方法。
【請求項２３】  フローサイトメトリーを行って、収集された細胞を選択的に計数するステップをさらに含む、請求項２２に記載の方法。
【請求項２４】  蛍光活性化細胞選別を行って、収集された細胞を選択的に選別するステップをさらに含む、請求項２２に記載の方法。
【手続補正書】
【提出日】平成18年1月25日(2006.1.25)
【手続補正１】
【補正対象書類名】明細書
【補正対象項目名】特許請求の範囲
【補正方法】変更
【補正の内容】
【特許請求の範囲】
【請求項１】  休眠モード機能を有するマルチキャリアトランシーバであって、
休眠モード命令に応答して、上記トランシーバが動作中である通信路に特有の選ばれた状態パラメータを記憶するとともにトランシーバ回路の選ばれた部分に対する電力を低減する手段と、
覚醒命令に応答して、上記トランシーバに対する電力を回復するとともに上記記憶されたパラメータにより上記トランシーバの状態を上記休眠モードから回復する手段と、
上記トランシーバと該トランシーバが通信する遠隔のトランシーバとの間で共通の同期したデータフレーム数を記憶しておくことにより、上記トランシーバを再初期化することなく通信の回復を容易にする手段とを備えたマルチキャリアトランシーバ。
【請求項２】  上記状態パラメータは周波数領域等化器係数、時間領域等化器係数、エコーキャンセラ係数、ビット割当て、符号化パラメータ、ファインゲインおよびサブチャネル利得からなる群から選ばれた１つ以上のパラメータである請求項１記載のマルチキャリアトランシーバ。
【請求項３】  状態変化標識に応答してトランシーバの状態を記憶する手段と、
休眠モードからの復帰時に上記記憶された状態パラメータから上記状態を回復することにより上記トランシーバの再初期化を省く手段と、
上記状態変化標識を生成するのに有効なフレーム情報が無いことを検出する手段とを備えたマルチキャリアトランシーバ。
【請求項４】  トランシーバが動作中である通信路に特有の複数の状態パラメータによって特徴付けられるとともに通常通信のためには上記パラメータの初期化を必要とするマルチキャリアトランシーバに休眠モードを設ける方法であって、
休眠モード命令に応答して上記状態パラメータのうちの選ばれたものを記憶する工程と、
上記記憶工程の後に回路の選ばれた部分に対する電力を低減する工程と、
覚醒信号に応答して上記選ばれた部分に対する電力を回復する工程と、
上記覚醒信号に応答して上記記憶されたパラメータから上記トランシーバの状態を回復することにより上記トランシーバの再初期化を省く工程とを備えた方法。
【請求項５】  上記選ばれた状態パラメータは周波数領域等化器係数、時間領域等化器係数、エコーキャンセラ係数、ビット割当て、符号化パラメータ、ファインゲインおよびサブチャネル利得からなる群から選ばれた１つ以上のパラメータである請求項４記載の方法。
【誤訳訂正書】
【提出日】平成18年10月3日(2006.10.3)
【誤訳訂正１】
【訂正対象書類名】明細書
【訂正対象項目名】００１４
【訂正方法】変更
【訂正の内容】
【００１４】
先の日付のＥＰ０５７２１５４Ａ１もまた、１５０〜５００μｍの平均粒径、高品質の多面形状、減少した不純物および優れた粉末特性を有する単結晶テトラブロモビスフェノールＡ、並びにその製造方法を開示している。
【誤訳訂正２】
【訂正対象書類名】明細書
【訂正対象項目名】００１５
【訂正方法】変更
【訂正の内容】
【００１５】
ＥＰ０４２４６９５Ａに対応する先の日付の米国特許第５０６８４６３号から、ＴＢＢＡのさらに別の製造方法もまた知られており、当該特許は、溶解したテトラブロモ−４，４−アルキリデンデフェノールを含有する有機相を、好ましくは５０〜９０℃で、亜硫酸アルカリ水溶液で洗浄することを提案している。
【誤訳訂正３】
【訂正対象書類名】明細書
【訂正対象項目名】００１６
【訂正方法】変更
【訂正の内容】
【００１６】
従って、ＴＢＢＡのいくつかの製造方法が使用できるようになり、また、当該分野において長期にわたって知られているが、９９．９％のＨＰＬＣ純度、１０ｐｐｍ未満のイオン性臭化物、３５°未満の安息角を有するＴＢＢＡは現在もまだ得られない。さらに、上記で議論した、当該分野で現在使用できるＴＢＢＡの製造方法は、複雑かつ高コストであることもわかっている。従って、上記の理由から、高収率および高純度のＴＢＢＡの製造方法が現在もなお工業的に必要とされている。
【誤訳訂正４】
【訂正対象書類名】明細書
【訂正対象項目名】００２０
【訂正方法】変更
【訂正の内容】
【００２０】
本発明の別の目的は、上記のような高純度および特性のＴＢＢＡを生じ、それと同時に、簡単なＴＢＢＡの製造方法に向けられている。
【誤訳訂正５】
【訂正対象書類名】明細書
【訂正対象項目名】００２１
【訂正方法】変更
【訂正の内容】
【００２１】
さらなる目的は、費用効率の高い方法とする、ＴＢＢＡの製造に向けられている。
【誤訳訂正６】
【訂正対象書類名】明細書
【訂正対象項目名】００３１
【訂正方法】変更
【訂正の内容】
【００３１】
乾燥生成物の重量は５２５ｇで、９６．５％の収率に相当する。生成物の分析は下記の通りである：
１．融点：１８３℃
２．純度（ＨＰＬＣ）：９９．９％
３．イオン化可能な臭化物：０８ｐｐｍ
４．２０％ＭｅＯＨ溶液のＡＰＨＡ：６．０
５．１０％シェリー（ｓｈｅｒｒｙ）のｐＨ：６．５５
６．２０％アルカリ溶液の色：＜１００ＨＵ
７．２０％メタノール溶液の濁度：３．０ＮＴＵ
８．平均粒径（９０％）：２７５ミクロン
９．安息角：３５°
【誤訳訂正７】
【訂正対象書類名】明細書
【訂正対象項目名】００３４
【訂正方法】変更
【訂正の内容】
【００３４】
生成物の分析は、下記の特性を示した：
１．融点：１８３℃
２．純度（ＨＰＬＣ）：９９．９％
３．イオン化可能な臭化物：＜１０ｐｐｍ
４．２０％ＭｅＯＨ溶液のＡＰＨＡ：５．０ＨＵ
５．１０％シェリー（ｓｈｅｒｒｙ）のｐＨ：６．１２
６．２０％アルカリ溶液の色：＜１００ＨＵ
７．２０％メタノール溶液の濁度：２．４ＮＴＵ
８．平均粒径（９０％）：２７０ミクロン
９．安息角：３５°
【誤訳訂正８】
【訂正対象書類名】明細書
【訂正対象項目名】００３７
【訂正方法】変更
【訂正の内容】
【００３７】
本発明の方法は、水非混和性溶媒を使用するので、溶媒の副反応によって生成される有害な副生物が生じない。
【手続補正書】
【提出日】平成18年3月23日(2006.3.23)
【手続補正１】
【補正対象書類名】明細書
【補正対象項目名】特許請求の範囲
【補正方法】変更
【補正の内容】
【特許請求の範囲】
【請求項１】  各レンズが、遠視野領域、中間視野領域および近視野領域を備えた非球状面と、主要メリディアンに沿った良好な単眼中心視および両眼中心視を有すると共に、前記非球状面の各点は次式：
【数１】
2003518275.tif 000001
式中、R1およびR2はメートルで表された最大曲率半径および最小曲率半径であり、且つ、nはレンズ材料の屈折率である：
により定義される平均球面を有する眼球用プログレッシブ眼鏡レンズ対であって、
各レンズの非球状面は、近視野領域の基準点と遠視野領域の基準点との間での平均球面における差として定義された追加レンズ度数値(A)を有し、
物体空間における点(M)に対する所定視線方向に対し、両眼性パラメータは、装着者が前記点(M)を透過視認する左右のレンズの非球状面上の各点(MD、MG)に対する平均球面の相対差ΔSとして定義され、
サジタル平面の一方側における両眼性パラメータの最大値と最小値との間の差として定義される両眼性パラメータのピーク／谷部間値の絶対値は、
f(A)=5.9×A−2.35
とした前記追加レンズ度数値の関数fの30％以内であり、
前記相対差ΔSは次式により定義される、眼球用プログレッシブ眼鏡レンズ対：
【数２】
2003518275.tif 000002
式中、SDおよびSGは、前記各点(MD、MG)における平均球面の各値である。
【請求項２】  物体空間における前記２個の点は垂直平面上でサンプリングされる、請求項１に記載の眼鏡レンズ対。
【請求項３】  前記垂直平面は各レンズから約80cm離間される、請求項２記載の眼鏡レンズ対。
【請求項４】  前記物体空間における前記各点は、当該一群の点を装着者が透過視認する前記非球状面の各点が左右のレンズの各々上に分布される如く選択された前記物体空間内の一群の点からサンプリングされる、請求項１乃至３のいずれかに記載の眼鏡レンズ対。
【請求項５】  前記所定視線方向は、装着者の前方に約80cmの距離であり且つ装着者の眼よりも約50cm下方の物点に対応する、請求項１乃至４のいずれかに記載の眼鏡レンズ対。
【請求項６】  各レンズの非球状面は、近視野領域の基準点と遠視野領域の基準点との間での平均球面における差として定義された追加レンズ度数値(A)を有し、且つ、
前記相対差ΔSは、前記追加レンズ度数値の関数である最大値よりも小さい、請求項１乃至５のいずれかに記載の眼鏡レンズ対。
【請求項７】  前記最大値は前記追加レンズ度数値の増加関数である、請求項６記載の眼鏡レンズ対。
【請求項８】  最適化プロセスを用いる眼球用プログレッシブ眼鏡レンズ対を定義する方法であって、
各レンズが、遠視野領域、中間視野領域および近視野領域を備えた非球状面と、主要メリディアンを有すると共に、前記非球状面の各点は次式：
【数８】
2003518275.tif 000003
式中、R1およびR2はメートルで表された最大曲率半径および最小曲率半径であり、且つ、nはレンズ材料の屈折率である：
により定義される平均球面を有していて、
両眼性パラメータを、レンズの考えられる装着者に関する屈折計測パラメータの平均値に対応する屈折計測パラメータを有する理論上の装着者に対して、所定視線方向に対して、且つ、物体空間における点(M)に対して、装着者が前記点(M)を透過視認する左右のレンズの非球状面上の各点(MD、MG)に対する平均球面の相対差ΔSとして定義することであって、前記相対差ΔSは、SDおよびSGは、前記各点(MD、MG)における平均球面の各値であるとして次式により定義されることと、
【数９】
2003518275.tif 000004
レンズの装着者に面する各レンズから約80cm離間された垂直平面に配置されると共に装着者の周中心視野範囲に配置される物体空間における全点(M)に対して両眼性パラメータのピーク／谷部間値を最小化することと、
により特徴付けられる方法。
【請求項９】  前記所定視線方向は、装着者の前方に約80cmの距離であり且つ装着者の眼よりも約50cm下方の物点に対応する、請求項８に記載の方法。
【請求項１０】  前記相対差ΔSの最大値が最適化プロセスにおける制限条件のひとつとして使用される、請求項８または９に記載の方法。
【請求項１１】  各レンズの非球状面は、近視野領域の基準点と遠視野領域の基準点との間での平均球面における差として定義された追加レンズ度数値(A)を有し、且つ、
前記相対差の最大値は、前記追加レンズ度数値の関数である、請求項１０に記載の方法。
【請求項１２】  前記最大値は前記追加レンズ度数値の増加関数である、請求項１１に記載の方法。
【請求項１３】  各レンズの非球状面は、近視野領域の基準点と遠視野領域の基準点との間での平均球面における差として定義された追加レンズ度数値(A)を有し、且つ、
前記相対差ΔSの最大値は、fを前記追加レンズ度数値の関数、すなわち
f(A)=5.9×A−2.35
として、0.70f(A)と1.3f(A)との間である、請求項８乃至１２のいずれかに記載の方法。
【請求項１４】  屈折計測パラメータの平均値は、左眼と右眼の間の距離の65mmと、眼の回転中心と対応するレンズの後面の中心との間の距離の27mmとを含む、請求項８乃至１３のいずれかに記載の方法。
【誤訳訂正書】
【提出日】平成18年8月2日(2006.8.2)
【誤訳訂正１】
【訂正対象書類名】明細書
【訂正対象項目名】００１６
【訂正方法】変更
【訂正の内容】
【００１６】
本発明の好適なセラミックイグナイターは、
（ａ）少くとも約１０10ohm-cmの比抵抗を有する電気絶縁性材料；
（ｂ）約１〜約１０8ohm-cmの比抵抗を有する半導体材料約３〜約４５vol％、好ましくはホットゾーン組成物の約５〜約４５vol％が半導体材料からなり；
（ｃ）約１０-2ohm-cmより小さい比抵抗を有する金属導電体、好ましくはホットゾーン組成物の約５〜約２５vol％が金属導体からなる、
ことを含むホットゾーン組成物を有し、そしてそこではホットゾーン組成物の少くとも約２１vol％は金属酸化物絶縁材料を含む。好適には、ホットゾーン組成物の少くとも約２５vol％はアルミナのような金属酸化物絶縁性材料を含み、より好適には、ホットゾーン組成物の少なくとも約３０，４０，５０，６０，７０または８０vol％は、アルミナなどの金属酸化物絶縁材料を含む。好適には、絶縁性材料の少くとも約２５vol％はアルミナのような金属酸化物からなり、もっと好適には絶縁性材料の少くとも約３０，４０，５０，６０，７０，８０もしくは９０vol％がアルミナのような金属酸化物からなる。さらに好適には、唯一の絶縁性材料成分が金属酸化物である。好適には、ホットゾーン組成物は、絶縁性材料の約２５〜約８０vol％を含み、もっと好適にはホットゾーン組成物の約４０〜約７０vol％は絶縁性材料からなる。
【手続補正書】
【提出日】平成17年10月27日(2005.10.27)
【手続補正１】
【補正対象書類名】明細書
【補正対象項目名】特許請求の範囲
【補正方法】変更
【補正の内容】
【特許請求の範囲】
【請求項１】
次に示す特性を有する染料を含むことを特徴とする、映像モニターのコントラスト及び色を向上させるバンドパスフィルタ。
１．吸収特性
（ａ）吸収ピーク（λ）が、次の波長領域のうちの１つに入る。
・λ  ＜  ４３０ｎｍ
・４７０ｎｍ  ＜  λ  ＜  ５１０ｎｍ
・５５０ｎｍ  ＜  λ  ＜  ６１０ｎｍ
・  λ  ＞  ６５０ｎｍ
（ｂ）吸収パンド幅が３０ｎｍから８０ｎｍの範囲内である。
２．安定性
（ａ）耐光性
白色光（４００ｎｍから７００ｎｍ）の８５ＭＪ／ｍ2の露光下で、劣化が１０から２０％未満である。
（ｂ）熱安定性
７０℃、相対湿度７０％、７２時間という負荷条件の下で劣化が１０から２０％未満である。
【請求項２】
染料が高分子マトリックス中に均一に含まれている請求項１記載のバンドパスフィルタ。
【請求項３】
内側面と外側面とを有し、該内側面が蛍光体層を含む表面板と、該表面板の外側面を覆うように形成された半透明フィルタを有し、前記フィルタが、請求項１に記載のフィルタであることを特徴とするカラーディスプレイ装置。
【請求項４】
内側面と外側面とを有し、該内側面が蛍光体層を含む表面板と、該表面板の外側面を覆うように形成された半透明フィルタを有し、前記フィルタが、請求項１に記載のフィルタであることを特徴とするカラーディスプレイ装置。
【請求項５】
プラズマディスプレイ装置からなる、請求項３又は４に記載カラーディスプレイ装置。
【請求項６】
高分子マトリックス中に均一に含まれた、図１に示す吸光度スペクトルを実質的に有する染料と、図２に示す吸光度スペクトルを実質的に有する染料と、ローダミン１０１と、ルクソールファーストブルー  ＭＢＳＮとを有することを特徴とする映像モニターのコントラスト及び色を向上させるバンドパスフィルタ。
【請求項７】
前記高分子マトリックスの重量あたり、約０．４０〜０．６０重量％の、図１に示す吸光度スペクトルを有する染料と、約０．２０〜０．３５重量％の、図２に示す吸光度スペクトルを有する染料と、約０．０５〜０．２５重量％のローダミン１０１と、約０．１０〜１．５重量％のルクソールファーストブルー  ＭＢＳＮとを含む、請求項６に記載バンドパスフィルタ。
【請求項８】
内側面と外側面とを有し、該内側面が蛍光体層を含む表面板と、該表面板の外側面上に設けられた半透明フィルタを有し、前記半透明フィルタが、高分子マトリックス中に、図１に示す吸光度スペクトルを実質的に有する染料と、図２に示す吸光度スペクトルを実質的に有する染料と、ローダミン１０１と、ルクソールファーストブルー  ＭＢＳＮとを含むことを特徴とするカラーディスプレイ装置。
【請求項９】
内側面と外側面とを有し、該内側面が蛍光体層を含む表面板と、該表面板の外側面を覆うように形成された半透明フィルタを有し、前記フィルタが、高分子マトリックス中に、フルオレセインアミン異性体１と、フロキシンＢと、スルフォローダミン１０１と、ルクソールファーストブルー  ＭＢＳＮとを含むことを特徴とするカラーディスプレイ装置。
【手続補正２】
【補正対象書類名】明細書
【補正対象項目名】００１３
【補正方法】変更
【補正の内容】
【００１３】
「スペクトル同調された」という言葉は、予め定められた原色の、かなり選択的な透過（５０％以上）を言う。「透明」という言葉は、ＣＲＴ、プラズマディスプレイなどのテレビのディスプレイ装置のような通常の場合は可視光である、電磁スペクトルの光の７０％以上の透過を言う。このような場合、原色は、赤、緑、青である。
さらに、本発明のバンドパスフィルタは、それぞれの波長における通過窓のスペクトルパンド幅を同調し、これによってＣＲＴやＰＤＰにおいてより鮮明で現実に近い色を可能とすることにより、色域を拡大することを可能とする。これは、現在の視覚表示技術より大きく進歩した点である。
【手続補正３】
【補正対象書類名】明細書
【補正対象項目名】００２５
【補正方法】変更
【補正の内容】
【００２５】
特に、本発明のフィルタにおける汎用の画質向上目的に有用な染料は、以下の特性を有していなければならい。
１．吸収特性
ａ）吸収ピーク（λ）が、次の波長領域のうちの１つに入る：
⇒λ  ＜  ４３０ｎｍ
⇒４７０ｎｍ  ＜  λ  ＜  ５１０ｎｍ
⇒５５０ｎｍ  ＜  λ  ＜  ６１０ｎｍ
⇒  λ  ＞  ６５０ｎｍ
ｂ）吸収パンド幅が３０ｎｍから８０ｎｍの範囲内である
２．安定性
ａ）耐光性
⇒白色光（４００ｎｍから７００ｎｍ）の８５ＭＪ／ｍ2の露光下で、劣化が１０から２０％未満である
ｂ）熱安定性
⇒７０℃、相対湿度７０％、７２時間という負荷条件の下で劣化が１０から２０％未満である
３．溶解性
ａ）環境に害を及ぼさない溶剤に可溶である。
ｂ）高品質被膜に適する、光学的に透明な高分子樹脂マトリックスに可溶である。
【手続補正４】
【補正対象書類名】明細書
【補正対象項目名】００２８
【補正方法】変更
【補正の内容】
【００２８】
ｎｍスケールの吸収ピークの位置に加え、１つ又は複数のピークのバンド幅もまた、染料を定義又は特徴付け、識別するために用いられる。吸収ピークの位置と同じように、ｎｍスケールのバンド幅は、計測されたサンプルにおける染料の濃度を無視することができる。光学密度対波長でプロットし、ピークの高さの半分における全幅をバンド幅として計測する。染料ＬＣ５４１０及びＬＣ６５５０は、ランダクロム（Lambdachrome,登録商標）レーザ・ダイであり、米国フロリダ州フォートローダーデール、ウェストコマーシャル  ボーレバード３２０１番地、郵便番号３３３０９のランバフィズーク社（Lamdba  Physik  Inc.）から入手することができる。なおランバフィズーク社は、米国カリフォルニア州サンタクララのコーヒレント社（Coherent,Inc.）の子会社である。
【手続補正書】
【提出日】平成18年1月17日(2006.1.17)
【手続補正１】
【補正対象書類名】明細書
【補正対象項目名】特許請求の範囲
【補正方法】変更
【補正の内容】
【特許請求の範囲】
【請求項１】  ３次元レンダリングおよびストレッチ・ブリッティングに使用される３Ｄパイプラインにおいて、ストレッチ・ブリッティング用の３Ｄパイプラインが：
矩形モードをイネーブルするコマンド・ストリーム・コントローラ；
頂点によって定義される矩形に関するアドレスを生成するウインドワ；
それぞれのピクセルに関して、相対的なロケーションに基づいて隣接ポイント間の補間を行って、それぞれのピクセルに関する属性を生成するフィルタ；および、
出力データの整列およびディスティネーション表面に対する該出力データの書き込みを行うカラー・カリキュレータ；
を包含することを特徴とする３Ｄパイプライン。
【請求項２】  ３次元（３Ｄ）パイプラインにおける方法であって：
信号を受け取るステップ；
エリアを定義する２ないしはそれを超える数の座標ポイント受け取るステップ；
前記信号に基づいて、前記エリアが三角形であるか矩形であるかを決定するステップ；
前記エリアが三角形の場合には、前記エリアに関するデータに基づいて３Ｄイメージを生成するステップ；および、
前記エリアが矩形の場合には、前記エリアに関するデータに対してストレッチ・ブリッティング・オペレーションを実行するステップ；
を包含することを特徴とする方法。
【請求項３】  ３次元（３Ｄ）パイプラインにおけるディジタル・ビデオ・データのストレッチ・ブリッティングを行う方法であって：
矩形コマンドを受け取るステップ；
直角三角形の左上頂点、右下頂点、および左下頂点を受け取るステップ；
矩形を定義するバウンディング・ボックスを割り出すステップ；
イメージのディスティネーション表面を計算するステップ；
イメージのソース表面を計算するステップ；
ピクセル値のフェッチおよびキャッシュを行うステップ；
前記ピクセル値の補間を行って、前記ディスティネーション表面におけるピクセルを生成するステップ；および、
前記ディスティネーション表面を表示するステップ；
を包含することを特徴とする方法。
【請求項４】  プロセッサと、
メモリと、
３次元レンダリングおよびストレッチ・ブリッティング用の３Ｄパイブラインとから構成され、
上記３Ｄパイプラインは、信号を受信するコマンド・ストリーム・コントローラと、或る領域を決定する２又はそれ以上の座標点を受け、その領域が上記信号に基いて３角形又は４角形であるかを決定するウィンドウとを具備し、上記３Ｄパイプラインは前記領域が３角形であれば当該領域用のデータに基づく３Ｄイメージを発生し、また領域が４角形であれば当該領域用のデータに基いてストレッチ・プリッティング動作を実行することを特徴とするコンピュータ装置。
【手続補正書】
【提出日】平成18年1月17日(2006.1.17)
【手続補正１】
【補正対象書類名】明細書
【補正対象項目名】特許請求の範囲
【補正方法】変更
【補正の内容】
【特許請求の範囲】
【請求項１】  中央プロセッサ；
第１メモリ；
第２メモリ；
入力デバイス；
前記第１メモリおよび前記入力デバイスに結合されるバス；
グラフィックス・デバイス；および、
前記中央プロセッサに結合され、かつ前記バスに結合され、また前記グラフィックス・デバイスに結合されると共に前記第２メモリにも結合されたメモリ制御ハブとから構成され；
上記メモリ制御ハブは第１メモリと第２メモリ内のオペランドにアクセスするグラフィックス・メモリ制御コンポーネントを具備すると共に第１メモリ内のオペランドにアクセルするメモリ制御コンポーネントを具備し、
前記グラフィックス・メモリ制御コンポーネントは、グラフィックス変換テーブルを使用して、前記メモリ内のグラフィックス・オペランドが第１メモリか或は第２メモリにあるのかの決定を行い、また前記グラフィックス変換テーブルは、複数のエントリを包含し、これらエントリの夫々は、仮想アドレスとシステム・アドレスの関連付けを行い、この仮想アドレスは、前記中央プロセッサによって使用され、また上記システム・アドレスは前記第１又は第２メモリのいづれかによって使用され、前記中央プロセッサは前記グラフィックス変換テーブルを修正することを特徴とするダイナミック・ディスプレイ・メモリを実装するための装置。
【請求項２】  中央プロセッサ；
第１メモリ；
第２メモリ；
入力デバイス；
前記第１メモリおよび前記入力デバイスに結合されるバス；
グラフィックス・デバイス；および、
前記中央プロセッサに結合され、かつ前記バスに結合され、また前記グラフィックス・デバイスに結合されると共に前記第２メモリに結合したメモリ制御ハブとから構成され；
上記メモリ制御ハブは上記第１メモリと第２メモリ内のオペランドにアクセスするグラフィック・メモリ制御コンポーネントとを具備すると共に第１メモリ内のオペランドにアクセスするメモリ制御コンポーネントを具備し、
前記グラフィックス・メモリ制御コンポーネントは、前記中央プロセッサからのグラフィックス・オペランドの仮想アドレスを、システム・アドレスに変換するものであり、前記システム・アドレスは、前記第１かまたは第２のメモリ内のグラフィックス・オペランドのロケーションに対応していることを特徴とするダイナミック・ディスプレイ・メモリを実装するための装置。
【請求項３】  中央プロセッサ；
第１メモリ；
第２メモリ；
前記中央プロセッサに結合される入力デバイス；
前記中央プロセッサに結合される出力デバイス；
グラフィックス・コントローラ；
バス；および
前記中央プロセッサに結合され、かつ前記バスに結合され、また前記グラフィックス装置に結合されると共に第１および第２メモリに結合されたメモリ制御ハブとから構成され、前記メモリ制御ハブは第１および第２メモリ内でオペランドにアクセスするグラフィイックス・メモリ制御コンポーネントを有し、更に上記メモリ制御ハブは第１メモリ内でオペランドにアクセスするメモリ・コンポーネントを有し、また
前記グラフィックス・コントローラは、グラフィックス・メモリ制御コンポーネントを使用して前記第１又は第２メモリ内に収められている複数のグラフィックス・オペランドにアクセスし、
前記中央プロセッサは、グラフィックス・メモリ制御コンポーネントを使用して前記グラフィックス・オペランドにアクセスすることを特徴とするダイナミック・ディスプレイ・メモリを実装するための装置。
【請求項４】  メモリにアクセスする方法において：
中央プロセッサが仮想アドレスのオペランドにアクセスするステップ；
メモリ制御コンポーネントが、前記オペランドがグラフィックス・オペランドであるか否かについて決定するステップ；
前記オペランドがグラフィックス・オペランドでない場合には、前記メモリ制御コンポーネントが前記仮想アドレスに対応するシステム・アドレスのオペランドにアクセスするステップ；および、
前記オペランドがグラフィックス・オペランドである場合には、前記メモリ制御コンポーネントのグラフィックス・メモリ制御コンポーネントが前記仮想アドレスに対応するシステム・アドレスの第１又は第２メモリのいづれか１つにあるオペランドにアクセスするステップ；
を包含することを特徴とする方法。
【請求項５】  中央プロセッサ；
第１メモリ；
第２メモリ；
前記中央プロセッサに結合され、かつ前記第１および第２メモリの双方に結合されるメモリ・コントローラとから構成され、上記メモリ・コントローラはグラフィックス制御コンポーネントおよびメモリ制御コンポーネントを有し、そのグラフィックス制御コンポーネントは、前記中央プロセッサによってアクセスされたオペランドがグラフィックス・オペランドであるか否かについての決定を行い、前記オペランドがグラフィックス・オペランドである場合には、前記グラフィックス制御コンポーネントが前記オペランドのアドレスを、第１メモリ又は第２メモリのどちらか一方内の前記オペランドのロケーションに対応するアドレスに変換するメモリ・コントローラ；
を包含することを特徴とするダイナミック・ディスプレイ・メモリを実装するための装置。
【手続補正書】
【提出日】平成18年5月18日(2006.5.18)
【手続補正１】
【補正対象書類名】明細書
【補正対象項目名】特許請求の範囲
【補正方法】変更
【補正の内容】
【特許請求の範囲】
【請求項１】  少なくとも一つのマイクロプリズム表面を有する再帰反射フィルムであって、該マイクロプリズムの材料がビニル芳香族モノマーから誘導されたシンジオタクチックポリマーを含む、再帰反射フィルム。
【請求項２】  前記シンジオタクチックビニル芳香族ポリマーが透明な半結晶質ポリマーである、請求項１に記載のフィルム。
【請求項３】  前記シンジオタクチックビニル芳香族ポリマーがスチレン部分を少なくとも８０重量％含む、請求項１に記載のフィルム。
【請求項４】  キューブコーナーの形状を有する再帰反射表面を有する、請求項１に記載のフィルム。
【請求項５】  前記シンジオタクチックビニル芳香族ポリマーがシンジオタクチック鎖セグメントを３０重量％〜９８重量％有する、請求項１に記載のフィルム。
【請求項６】  前記シンジオタクチックビニル芳香族ポリマー１００重量部当たりＵＶ吸収材料を約０．５〜２．０重量部、更に含む、請求項１に記載のフィルム。
【請求項７】  請求項１に記載のフィルムを含む、標識。
【手続補正書】
【提出日】平成18年4月20日(2006.4.20)
【手続補正１】
【補正対象書類名】明細書
【補正対象項目名】特許請求の範囲
【補正方法】変更
【補正の内容】
【特許請求の範囲】
【請求項１】  不織布シートであって、
離間配置された関係で第１方向に延在する非弾性熱可塑性材料の多数のほぼ平行な細長いストランドであって、前記各ストランドが対向する細長い側面部分を有し、前記側面部分が、隣接ストランドの細長い側面部分から離間配置され、これらの部分に隣接し、前記各ストランドが、前記対向する細長い側面部分間に延在して対応して対向する第１および第２の細長い表面部分も有するストランドと、
離間配置された固定部分が、前記第１の細長い表面部分に沿って前記ストランドの第１接合場所に接合されている可撓性不織材料の第１シートであって、前記ストランドを形成する前記熱可塑性材料が、前記ストランドの長さに沿って少なくとも隣接接合場所間で延伸される第１シートと、
を含む不織布シート。
【請求項２】  前記ストランドが、前記接合場所の繊維状ウェブ間より短い前記接合場所において延伸される、請求項１記載の不織布シート。
【請求項３】  前記接合場所が１００％未満だけ延伸される、請求項１記載の不織布シート。
【請求項４】  前記接合場所が５％未満だけ延伸される、請求項３記載の不織布シート。
【手続補正書】
【提出日】平成18年1月30日(2006.1.30)
【手続補正１】
【補正対象書類名】明細書
【補正対象項目名】０００３
【補正方法】変更
【補正の内容】
【０００３】
ＤＥ１９７２０３９３Ａ１には、下向きの開口部を有する活性物質容器によって、浸漬により活性物質を放出する活性物質放出装置が記載されている。活性物質が接触する便器にあまり好ましくない跡形が残る。この欠点に対応するために、中間支持部材が従来の装置に設けられており、下向きの活性物質流路へと延びて便器内への洗浄水と共に活性物質を放出することによって、前記のような活性物質跡を回避するようになっている。
【手続補正書】
【提出日】平成18年10月25日(2006.10.25)
【手続補正１】
【補正対象書類名】明細書
【補正対象項目名】特許請求の範囲
【補正方法】変更
【補正の内容】
【特許請求の範囲】
【請求項１】
骨軟骨移植片および少なくとも１種の精製骨形態形成蛋白（ＢＭＰ）を含む、骨関節炎を治療するための医薬組成物。
【請求項２】
ＢＭＰがＢＭＰ−２である請求項１の医薬組成物。
【請求項３】
Ｖｇｒ−２、成長および分化因子（ＧＤＦ）、ならびにＢＩＰからなる群より選択される少なくとも１種の精製蛋白をさらに含む、請求項１の医薬組成物。
【請求項４】
腱または靭帯様組織の形成を誘導する蛋白をさらに含む請求項１の医薬組成物。
【請求項５】
腱または靭帯様組織の形成を誘導する蛋白がＢＭＰ−１２、ＢＭＰ−１３、ＢＭＰ−１２サブファミリーのメンバーおよびＭＰ５２からなる群より選択されるものである、請求項４の医薬組成物。
【請求項６】
骨軟骨移植片が異型移植片である請求項１の医薬組成物。
【請求項７】
骨軟骨移植片が自家移植片である請求項１の医薬組成物。
【請求項８】
骨軟骨移植片がモザイク形成術により得られるものである請求項１の医薬組成物。